(57)【特許請求の範囲】
【請求項１】
相手側電気コネクタ部品（２）に接続するための電気コネクタ部品（１）であって、前記相手側電気コネクタ部品（２）とのプラグイン接続を形成するための挿入部（１００）を備えたハウジング（１０）と、該ハウジング（１０）に移動可能に配置された係止要素（１３）であって、係止位置において、前記相手側電気コネクタ部品（２）を前記ハウジング（１０）に係止するように設計され、且つ係止解除位置にある場合に、前記相手側電気コネクタ部品（２）と前記ハウジング（１０）との間の係止接続を解除するために前記係止位置から外へ移動されることが可能な、係止要素（１３）と、を備え、
接続デバイス（１１）は、前記係止要素（１３）を前記ハウジング（１０）に接続し、且つガイド部（１１１）、ガイド要素（１３１）、およびバネ要素（１２）を備え、該バネ要素（１２）は、係止位置および／または係止解除位置において、前記ガイド要素（１３１）を前記ガイド部（１１１）にラッチ係合するための係止脚（１２１）を備えている、電気コネクタ部品（１）。
【請求項２】
前記ガイド部（１１１）は、前記ハウジング（１０）および係止要素（１３）のうちの一方に配置されている、請求項１に記載の電気コネクタ部品（１）。
【請求項３】
前記バネ要素（１２）は、前記ハウジング（１０）および係止要素（１３）のうちの一方に配置されている、請求項２に記載の電気コネクタ部品（１）。
【請求項４】
前記バネ要素（１２）は保持脚（１２０）を備え、当該保持脚を通じて、前記バネ要素（１２）は、前記ハウジング（１０）および係止要素（１３）のうちの一方に取り付けられ、前記保持脚から前記係止脚（１２１）が伸びている、請求項３に記載の電気コネクタ部品（１）。
【請求項５】
前記保持脚（１２０）および前記係止脚（１２１）は、一体となってＣ字形状を形成している、請求項４に記載の電気コネクタ部品（１）。
【請求項６】
前記ガイド要素（１３１）は、前記ハウジング（１０）および係止要素（１３）のうちの他方に配置されている、請求項２から５のいずれか一項に記載の電気コネクタ部品（１）。
【請求項７】
前記係止要素（１３）が係止位置と係止解除位置との間を移動させられた場合、前記ガイド要素（１３１）は前記係止脚（１２１）に沿ってスライドする、請求項１から６のいずれか一項に記載の電気コネクタ部品（１）。
【請求項８】
前記ガイド要素（１３１）は、前記ガイド部（１１１）のガイド端縁（１１７）上を、長手方向軸（Ｌ）の周りに向けられた回転方向（Ｄ）に沿って移動させられることが可能である、請求項１から７のいずれか一項に記載の電気コネクタ部品（１）。
【請求項９】
前記係止脚（１２１）は、前記ガイド要素（１３１）を押圧して、前記ガイド部（１１１）のガイド端縁（１１７）と接触させるように設計されている、請求項８に記載の電気コネクタ部品（１）。
【請求項１０】
前記ガイド部（１１１）は、前記回転方向（Ｄ）に沿って見た場合、第１停止面（１１２）および第２停止面（１１３）によって区切られており、前記第１停止面に対して、前記ガイド要素（１３１）は係止解除位置において支持され、且つ前記第２停止面に対して、前記ガイド要素（１３１）は係止位置において支持される、請求項８または９に記載の電気コネクタ部品（１）。
【請求項１１】
前記ガイド要素（１３１）は、前記ガイド部（１１１）の回転方向（Ｄ）に沿って、前記第１停止面（１１２）と前記第２停止面（１１３）との間を移動させられることが可能である、請求項１０に記載の電気コネクタ部品（１）。
【請求項１２】
前記ガイド端縁（１１７）は、前記ガイド端縁（１１７）の一部を分離したショルダ（１１４）を備え、前記長手方向軸（Ｌ）に沿って見た場合、前記ガイド端縁に一部は異なった高さに配置されている、請求項８から１１のいずれか一項に記載の電気コネクタ部品（１）。
【請求項１３】
前記接続デバイス（１１）は挿入部（１１０）を備え、該挿入部を通じて、前記ガイド要素（１３１）は、前記ガイド部（１１１）内に導入されることが可能である、請求項１から１２のいずれか一項に記載の電気コネクタ部品（１）。
【請求項１４】
前記係止要素（１３）は、前記相手側電気コネクタ部品（２）との積極的な係止のための、少なくとも１つのラッチ要素（１３３）を備えている、請求項１から１３のいずれか一項に記載の電気コネクタ部品（１）。
【請求項１５】
前記係止要素（１３）はスリーブとしてデザインされており、回転可能なように前記ハウジング（１０）のシャフト部（１０２）に配置されている、請求項１から１４のいずれか一項に記載の電気コネクタ部品（１）。
【請求項１６】
前記係止要素（１３）は、前記相手側電気コネクタ部品（２）の挿入のための挿入開口部（１３２）を形成している、請求項１から１５のいずれか一項に記載の電気コネクタ部品（１）。
【発明の詳細な説明】
【技術分野】
【０００１】
本発明は、請求項１の前段による、相手側電気コネクタ部品に接続するための電気コネクタ部品に関する、
【背景技術】
【０００２】
このタイプの電気コネクタ部品はハウジングを備え、ハウジングは、相手側電気コネクタ部品のプラグイン接続のために形成されたプラグイン部を備えている。例えば、１つ以上の電気端子要素はプラグイン部に配置されることが可能であり、これらの電気端子要素を通じて、電気コネクタ部品および相手側電気コネクタ部品が一体に嵌め込まれた場合、電気コネクタ部品は、相手側電気コネクタ部品の対応した相手側端子要素と電気的に接触する。
【０００３】
電気コネクタ部品と相手側電気コネクタ部品とを、それらが一体に嵌め込まれた位置において係止するために、係止要素が設けられており、係止要素は、係止位置において相手側電気コネクタ部品を電気コネクタ部品のハウジングに係止するように設計されている。相手側電気コネクタ部品とハウジングとの間の係止を係止解除位置に解除するために、係止要素は、ロック位置の外側へと移動させられることが可能である。
【０００４】
特許文献１から知られた所与のプラグインコネクタは、係止リングが第１接続要素に配置され、第１接続要素に対して回転することが可能である。係止リングは第２接続要素にねじ込まれることが可能であり、それは、このようにして接続要素間の接続を確立するためである。
【０００５】
特許文献２からプラグインコネクタが知られており、このコネクタには、クイックリリース係止機構が１つの連結半体に配置されている。この目的のために、回転可能なスリーブが連結半体に配置されており、この回転可能なスリーブは、別の連結半体との係止を確立するための板ばね要素を担持している。
【先行技術文献】
【特許文献】
【０００６】
【特許文献１】独国特許出願公開第１０  ２０１１  ０５１  ３０２号明細書
【特許文献２】独国特許出願公開第１０  ２００５  ０２６  １４８号明細書
【発明の概要】
【発明が解決しようとする課題】
【０００７】
本発明の目的は、作業が容易な、触覚的に心地よい、且つ導入も容易な係止手段を備えた電気コネクタ部品を提供することである。
【課題を解決するための手段】
【０００８】
この目的は、請求項１の特徴を備えた物品により達成される。
【０００９】
したがって、電気コネクタ部品は、係止要素をハウジングに接続した接続デバイスを備え、且つガイド部、ガイド部にガイドされたガイド要素、およびバネ要素を備えている。バネ要素は、係止位置および／または係止解除位置において、ガイド要素をガイド部に係止するための係止脚を備えている。
【００１０】
係止要素と、電気コネクタ部品のハウジングと、の間の（可動）接続は、弾性バネ要素と協働して、ガイド部のガイド要素をガイドすることにより確立されている。係止要素が係止位置と係止解除位置との間で調節された場合、ガイド要素はバネ要素の係止脚と相互作用して、これにより係止位置および／または係止解除位置におけるガイド部に対する係止脚のたわみと共に、およびガイド要素のラッチ係合と共に、調節が生じる。
【００１１】
ガイド要素の係止脚との相互作用、および係止位置および／または係止解除位置におけるガイド部に対するガイド要素のラッチ係合により、係止要素の動作が与えられた場合、係止要素のその動作の間に到達した位置に関する触覚的、および有利には聴覚的にも、フィードバックを使用者に与えることが可能である。したがって、使用者は、係止要素が所定の位置に到達し、これにより係止または係止解除が確立されたことを、直接的に且つ明確に知ることが可能である。
【００１２】
ガイド部は例えばハウジングに、例えばハウジングのシャフト部に形成された溝付くぼみの形状で配置されることが可能である。しかしながら、ガイド部を係止要素に配置することも考えられ、且つ可能である。
【００１３】
ガイド部がハウジングに配置された場合、バネ要素も好適にハウジングに配置される。しかしながら、（特に、ガイド部が係止要素に配置された場合）バネ要素を係止要素に配置することも考えられ、且つ可能である。
【００１４】
ガイド要素は、それぞれの他の構成要素に好適に配置されている。ガイド部がハウジングに配置された場合、ガイド要素は係止要素に配置され、したがって、係止要素の移動の際に、ハウジングに形成されたガイド部に対して移動させられる。ガイド部が係止要素に配置された場合、ガイド要素はそれに応じてハウジングに形成される。
【００１５】
一実施形態においては、バネ要素は保持脚を備え、この保持脚を通じて、バネ要素は対応した構成部品、すなわちハウジングまたは係止要素に取り付けられている。保持脚は、例えば係止脚に向かって湾曲しており、対応した構成部品へのバネ要素の接続を確立する。係止脚は保持脚から自由に伸びており、これにより係止脚は保持脚に対して（弾性的に）移動されることが可能であり、且つガイド要素を協働してたわまされることが可能である。
【００１６】
一実施形態においては、その保持脚および係止脚を備えたバネ要素は、例えば（全体的に）Ｃ字形状を形成することが可能である。
【００１７】
一実施形態においては、係止要素が、係止位置と係止解除位置との間を移動させられた場合、ガイド要素は係止脚に沿ってスライドする。係止要素が移動させられた場合、これによりガイド要素は係止脚に作用し、係止脚をたわませて、これによりガイド要素は係止脚を横に押圧し、係止解除位置から係止位置へと、またはその逆の係止位置から係止解除位置へと移動する。
【００１８】
係止脚は、ガイド要素を両方の位置、すなわち係止位置および係止解除位置においてガイド部に対してラッチ係合し、これによりガイド要素は、係止脚により係止位置および係止解除位置の両方においてガイド部に対して所定の位置に保持される。係止脚との相互作用により、使用者は触覚的におよび随意的に聴覚的にもフィードバックを受け、これにより使用者は、例えばロック位置に到達したことを直接的におよび明確に知る。
【００１９】
一実施形態においては、ガイド要素は、長手方向軸周りに向けられた回転軸に沿って、ガイド部のガイド端縁上を移動させられることが可能である。この意味において、係止要素はハウジングに対して回転させられることが可能であり、係止要素の回転により、ガイド要素は、ガイド部により事前に決定されたガイド端縁に沿って、ひいては所定の移動経路に沿ってスライドする。これによりバネ要素の係止脚は、ガイド要素を押圧してガイド部のガイド端縁と接触させ、これによりガイド要素が、係止脚によりガイド端縁に対して予備張力を与えられ、したがってガイド端縁との所定の接触を保持するように設計されることが可能である。
【００２０】
ガイド要素の変位の経路は、ガイド部のガイド端縁によりあらかじめ決定され、且つこの経路に沿って、ガイド要素は係止位置と係止解除位置との間を移動させられることが可能であり、この経路は好適に制限されて、これによりガイド要素ひいては係止要素は、所定の位置の間を移動させられることが可能である。この目的のために、停止面が（回転方向に沿って見た場合）ガイド部の両側に設けられることが可能であり、これらの停止面と共に、ガイド要素は異なった終端位置において相互作用する。係止解除位置において、ガイド要素はこれにより第１停止面に対して支持されることが可能であり、対照的に係止位置において、ガイド要素は第２停止面に対して支持されることが可能である。ガイド部は、停止面の間に伸びており、したがって停止面により区切られている。係止位置および係止解除位置において、ガイド要素は、バネ要素の係止脚との相互作用により、好適に対応した停止面と係合し且つ追加的に所定の接触状態となり、これによりガイド要素、それに加えて係止要素は、所定の位置の間で調節されることが可能である。
【００２１】
一実施形態においては、ショルダがガイド端縁に形成され、このショルダに沿って、ガイド要素は、係止要素の移動の際にスライドし、ショルダは、（長手方向軸に沿って見た場合）異なった高さを有するガイド端縁の部分を互いに分離している。例えば、係止位置において、ガイド要素はガイド端縁の一部に支持され、ガイド端縁のこの部分は、（長手方向軸に沿って見た場合）ガイド端縁の別の一部に対して後退させられている。係止位置において、ガイド要素のガイド部に対するラッチ係合は、これにより追加的に達成され、ガイド要素はガイド端縁の凹部内に挿入され、これにより係止要素の（わずかな）軸方向変位のために、使用者は、係止要素が係止位置に到達したことを追加で理解することが可能である。
【００２２】
係止要素を電気コネクタ部品のハウジングに接続するための接続デバイスは、容易に組み立てることが可能である。組立のために、バネ要素はこれにより、例えば電気コネクタ部品のハウジングに容易に取り付けられることが可能であり、これは、係止要素をハウジング上でスライドさせることにより係止要素を装着するためである。この目的のために、接続デバイスは例えば挿入部を備え、挿入部はガイド部のように、例えば電気コネクタ部品のハウジング内の溝の形状であり、ガイド要素をガイド部の領域内に持ってくるために、例えばガイド要素はこの溝内に挿入されることが可能である。ガイド要素がガイド部と係合した場合、ガイド要素はバネ要素の係止脚によりガイド部の領域内に保持され、さらなる手段をとることなく、少なくとも意図的な解除無しにガイド部から取り外されることは不可能である。
【００２３】
接続デバイスは、１つ以上の対応したガイド要素および１つ以上のバネ要素を備えた、１つ以上のガイド部を備え得る。係止要素は、電気コネクタ部品のハウジングに対して回転可能であり、次いで、ガイド部は、ハウジングのシャフト部の周りに互いに対して周方向にオフセットして形成されることが可能であり、各ガイド部は、係止要素およびバネ要素のガイド要素と個々に対応している。したがって、係止要素と、電気コネクタ部品のハウジングと、の間の接続は、ガイド部にガイドされた複数のガイド要素を通じて、且つガイド部に対応したバネ要素により実行される。
【００２４】
この点において、係止要素は、原理的にハウジングに対して、例えば並進移動により、異なった方法においても移動可能であり得ることが理解されるべきである。ハウジング上の係止要素の回転可能な構成は、単にいくつかの可能な実施形態を考慮したものである。
【００２５】
さらなる態様によれば、係止要素は、バヨネット連結の方式で、対応した相手側電気コネクタ部品との係止接続を確立することが可能である。この目的のために、例えば係止要素は、例えば突起要素の形状の、１つ以上のラッチ要素を備え、この要素を通じて、相手側電気コネクタ部品との積極的な係止が確立されることが可能である。係止要素がハウジングに対して回転可能に装着され、例えば中空の円筒スリーブの形状である場合、１つ以上のラッチ要素は、例えば係止要素の内側に径方向内向きに突出するように形成され、係止要素により形成された挿入開口部内への相手側電気コネクタ部品の挿入の際に、およびそれに続いた係止要素の回転により、相手側電気コネクタ部品と積極的に係合する。
【００２６】
複数のラッチ要素が係止要素に設けられた場合、それらは例えば、係止要素上に互いに対して周方向にオフセットされ且つ均一に分散されて配置されることが可能であり、これにより電気コネクタ部品と、対応した相手側電気コネクタ部品と、の間の均等に分散された係止接続を生じさせる。
【００２７】
本発明の基礎を形成した思想は、図示された例示的な実施形態を使用して、以下により詳細に説明される。
【図面の簡単な説明】
【００２８】
【図１】ハウジングに配置された係止要素を備えた電気コネクタ部品の例示的な実施形態を示した図である。
【図２Ａ】ハウジングの係止要素の導入の際の電気コネクタ部品を示した図である。
【図２Ｂ】導入されて作動状態にある電気コネクタ部品を示した図である。
【図３Ａ】係止位置にある電気コネクタ部品を示した図である。
【図３Ｂ】係止解除位置にある電気コネクタ部品を示した図である。
【発明を実施するための形態】
【００２９】
図１から図３Ａ、図３Ｂは、対応した相手側電気コネクタ部品２（図３Ａ参照）への（好適に電気的）接続に寄与する電気コネクタ部品１の例示的な実施形態を示している。
【００３０】
電気コネクタ部品１は、対応した相手側コネクタ部品２へのプラグイン接続のためのプラグイン部１００を一端に備え、且つ他単にはユニオンナット１４の形式のネジ要素がねじ込まれるネジ部１０１が配置されたハウジング１０を備えている。ユニオンナット１４を通じて、電気コネクタ部品１に接続された（電気）ライン１５は、その電気コネクタ部品１のハウジング１０に取り付けられ、これにより張力をかけられて、ライン１５の導体経路は、ハウジング１０内においてプラグイン部１００の端子要素と（電気的に）接触させられている。
【００３１】
ハウジング１０のシャフト部１０２において、係止要素１３は、長手方向軸Ｌの周りを回転方向Ｄに沿って回転可能であるように配置されている。係止要素１３は、相手側電気コネクタ部品２が電気コネクタ部品１上に載置された場合に、電気コネクタ部品１と相手側電気コネクタ部品２との間の係止接続の確立に寄与しており、これにより、電気コネクタ部品１と相手側電気コネクタ部品２との間の接続は固定され、相手側電気コネクタ部品２は、係止接続を解放することなく、電気コネクタ部品１から取り外すことが不可能である。
【００３２】
係止要素１３は、接続デバイス１１を通じてハウジング１０に回転可能に装着されており、係止位置と係止解除位置とに対応した所定の位置の間において、ハウジング１０に対して回転可能である。係止要素１３を装着するために、係止要素１３の受容空間１３０の内側のガイド要素１３１は、係止要素１３が中空円筒スリーブとして実施されているため、シャフト部１０２の周囲面内に形成された軸方向に伸びた溝付くぼみの形状の挿入部１１０内に挿入され、これは図１から図２Ａへの推移において見られている。
【００３３】
したがって、係止要素１３の内側のガイド要素１３１は、挿入部１１０の、長手方向軸Ｌに対して横方向に伸びた制限端縁１１６と接触し（図２Ａ参照）、次いで図２Ｂに示されたように、係止要素１３を回転方向Ｄに回転することにより、シャフト部１０２内に形成された溝形状の個々の対応したガイド部１１１の領域内に誘導されることが可能である。
【００３４】
対応したガイド部１１１の各々は、Ｃ字形状の脚スプリングの形状のバネ要素１２であり、このバネ要素は、保持脚１２０を用いてシャフト部１０２の保持部１１５に対して保持されており、且つ係止脚１２１を備えてガイド部１１１の領域内へと自由に伸びている。回転方向Ｄにおける回転により、各ガイド要素１３１は対応した係止要素１２１と相互作用して、図２Ｂに見られているように、ガイド要素１３１は係止脚１２１により押圧されて、長手方向軸Ｌに沿ってガイド部１１１のガイド端縁１１７と接触し、それによりガイド部１１１内において保持されている。
【００３５】
係止要素１３（回転可能）は、これによりガイド要素１３１およびガイド部１１１内におけるそれらの保持を通じて、電気コネクタ部品１のハウジング１０に対して固定される。
【００３６】
係止位置に相当した、図２Ｂに示された位置に到達した場合、電気コネクタ部品１は概ね作業の準備ができており（ライン１５は組み立て完了していると仮定される）、対応した相手側電気コネクタ部品２に接続されることが可能であり、相手側電気コネクタ部品２は、係止要素１３により形成された挿入開口部１３２内に挿入されて、係止要素１３を回転方向Ｄに回転させることにより、電気コネクタ部品１と共に係止位置へと係止され、これは図３Ａに示されている。
【００３７】
挿入開口部１３２の内側には、径方向内向きに突出した突起形状のラッチ要素１３３が、係止要素１３に形成されており、このラッチ要素１３３は、相手側電気コネクタ部品２の挿入の際に、例えば相手側電気コネクタ部品２のハウジング２０の挿入部２００の外側の挿入部２０１内へとスライドし、係止要素１３の回転により、相手側電気コネクタ部品２の挿入部２００の対応した係止部２０２と個々に係合して、これにより積極的な係止接続が、電気コネクタ部品１と相手側電気コネクタ部品２との間に形成される。
【００３８】
図３Ａは、係止位置における電気コネクタ部品１を示しており、一方で図３Ｂは、係止解除位置における電気コネクタ部品１を示している。相手側電気コネクタ部品２の挿入が生じ、一方で係止要素１３は、図３Ｂに示された係止解除位置にあり、これにより、係止要素１３の内側のラッチ要素１３３は、相手側電気コネクタ部品２の挿入部２００の個々の対応した誘導部２０１内へとスライドすることが可能である。
【００３９】
係止解除位置において、係止要素１３は、バネ要素１２の相互作用により個々の対応したガイド要素１３１と係止およびラッチ係合され、各係止脚１２１は、ガイド要素１３１を押圧して対応した停止面１１２と接触させて、ガイド部１１１を係止解除位置の側に画定させて、且つガイド端縁１１７と接触させる。
【００４０】
電気コネクタ部品１を相手側電気コネクタ部品２に係止するために、係止要素１３は、図３Ａに示された位置へと回転方向Ｄに回転させられ、それにより各ガイド要素１３１は、図３Ａに示されたように、対応したバネ要素１２の係止脚１２１に沿ってスライドし、ひいてはガイド要素１３１が係止位置の側においてガイド部１１１の停止面１１３と突き当たるまで、対応したガイド部１１１のガイド端縁１１７に沿って移動し、且つガイド端縁１１７のショルダ１１４の他側の、ガイド端縁１１７の凹部内にスライドする。これにより、係止位置が達成され、係止位置において、ガイド要素１３１は再度ラッチ係合する。係止脚１２１のバネ作用のために、および係止脚１２１が係止位置に対応したノッチ１２２を備えてもいるために、使用者は、再度ラッチ係合を感じ且つ音を聞くことが可能であり、図３Ａに示されたように、ガイド要素１３１は、そのノッチ１２２と係止位置において係合する。
【００４１】
係止位置において、電気コネクタ部品１は、係止要素１３のラッチ要素１３３の積極的な係合を通じて、相手側電気コネクタ部品２の係止部２０２に係止される。
【００４２】
電気コネクタ部品１および相手側電気コネクタ部品２を係合解除するために、係止要素１３は、図３Ｂに示されたような反対の回転方向Ｄ´に逆回転させられることが可能であり、それによりガイド要素１３１は、ショルダ１１４を横切り且つ通り越してスライドし、係止脚１２１を押しのけて係止解除位置へと戻り、図３Ｂに見られているように停止面１１２と接触する。ガイド要素１３１は続いて、係止脚１２１のバネ作用により係止解除位置にラッチ係合する。
【００４３】
係止要素１３を回転方向Ｄ´に逆回転させることにより、ラッチ要素１３３は、相手側電気コネクタ部品２の挿入部２００の係止部２０２の領域から後退させられ、これにより相手側電気コネクタ部品２は、係止要素１３の挿入開口部１３２から抜き取られることが可能となり、したがって挿入部２００は、ハウジング１０の挿入部１００との係合から解除されることが可能となる。
【００４４】
ショルダ１１４は、例えば図１に見られているように、その端縁を丸められている。ガイド要素３１も、１つの端縁を丸められることが可能であり、これを伴って、ガイド要素３１は、ショルダ１１４を横切り且つ通り越してスライドし、これによりガイド要素１３１は、任意の（大きい）力を加えることなく、係止解除位置の方向にショルダ１１４を横切って、係止位置から外へ移動することが可能である。
【００４５】
係止位置と同様に係止解除位置において電気コネクタ部品１のハウジング１０に対して係止要素１３をラッチ拘束するための、１つ以上のバネ要素１２を使用した接続デバイス１１を設けることにより、係止解除位置または係止位置に到達したかどうかを、使用者に直接的に且つ明確に示すことが可能である。係止要素１３は、可聴音と共に係止位置および係止解除位置（そしてこれらの位置のみ）にラッチ係合し、これにより使用者は、係止位置または係止解除位置に到達したことを知る。このことは使用者に対して作業および信頼性のある信号を確実なものにしており、それは例えば、電気コネクタ部品１と相手側電気コネクタ部品２との間の係止接続が正確に確立されたことを示している。
【００４６】
接続デバイス１１は少数の部品を使用しており、電気コネクタ部品１のハウジング１０への係止要素１３の容易な導入も可能である。導入のために、バネ要素１２をシャフト部１０２に保持するための特別な手段を必要とすることなく、長手方向軸Ｌに沿ってシャフト部１０２に係止要素１３を押圧するために、バネ要素１２は、ハウジング１０のシャフト部１０２に取り付けられることを必要としている。
【００４７】
バネ要素１２の弾性的な実施形態により、接続デバイスは、公差に対して鈍感である。バネ要素１２の弾性変形特性により、公差は容易に調節されることが可能である。
【００４８】
本発明の基礎となる着想は、これまでに記載された例示的な実施形態に限定されるものではなく、むしろ原理的に完全に異なった様式で実現されることが可能である。
【００４９】
ここに記述されたタイプの電気コネクタ部品は、全く異なったアセンブリを相互に接続するために使用されることが可能である。特に電線は、そのような電気コネクタ部品を通じて対応した電気アセンブリに接続されることが可能である。しかしながら例えばそのようなコネクタ部品を通じて、例えば油圧または空気圧端子等の他の端子要素を接続することも可能である。
【符号の説明】
【００５０】
１  ・・・電気コネクタ部品
１０  ・・・ハウジング
１００  ・・・プラグイン部
１０１  ・・・ネジ部
１０２  ・・・シャフト部
１１  ・・・接続デバイス
１１０  ・・・挿入部
１１１  ・・・ガイド部（調節経路）
１１２  ・・・停止面
１１３  ・・・停止面
１１４  ・・・ショルダ
１１５  ・・・保持部
１１６  ・・・制限端縁
１１７  ・・・ガイド端縁
１２  ・・・バネ要素
１２０  ・・・保持脚
１２１  ・・・係止脚
１２２  ・・・ノッチ
１３  ・・・係止要素
１３０  ・・・受容空間
１３１  ・・・ガイド要素
１３２  ・・・挿入開口部
１３３  ・・・ラッチ要素
１４  ・・・ネジ要素
１５  ・・・電気ライン
２  ・・・相手側電気コネクタ部品
２０  ・・・ハウジング
２０  ・・・プラグイン部
２０１  ・・・挿入部
２０２  ・・・係止部
Ｄ、Ｄ´  ・・・回転方向
Ｌ  ・・・長手方向軸
【図１】
0006875599.tif 000002
【図２Ａ】
0006875599.tif 000003
【図２Ｂ】
0006875599.tif 000004
【図３Ａ】
0006875599.tif 000005
【図３Ｂ】
0006875599.tif 000006